(57)【要約】      （修正有）【課題】生まれ持ったホロスコープ（惑星の配置）に原因を求めると、それが分かる場合が多い。これも生まれもったホロスコープに原因を求めると意外と原因が判明する。【解決手段】このホロスコープを未来のベターなホロスコープと入れ換える方法である。幼児のホロスコープの診断により、人生の有意的成長が妨げられると予想されるのであれば、外惑星（地球より太陽の方向と反対側の外側の惑星）がサインとして多く移動しない誕生後２年以内くらいに生まれ持ったホロスコープをベターなホロスコープと入れ換えておくと、同世代としての同調感のある内面のしっかりした基本を獲得できると思われる。幼児に限らず、すべての世代への情報提供はやはり専門家の見識が必要であるが、ＩＴを使えば、多くの人を対象として、きめの細かい情報を責任を持って届けることができる。今後進歩する分野と思い、公表をして多くの人に役立つサービスの提供のシステムとする。【選択図】図１
2006172415.tif 000002
【特許請求の範囲】
【請求項１】
出願番号―特許平９−２５１３５６の方法は一部には認識されてきていますが、今は広まりつつある技術であります。その発明の実施の速度をあげ、多くの人に役立てていただくために、この特許を発案しました。ビジネスとしての具現化の一貫として未来の有効なホロスコープ変換（転換）の日時の情報をインターネットのホームページに表示して、多くの人の利用ができやすくする。この情報は一部有料にて行う。専門家の知恵を個人が効果的なホロスコープ変換をする上での手助けとする明細書記載のビジネスサポートの方法。
【発明の詳細な説明】
【技術分野】
【０００１】コンピュータのネットワークは多くの人に有用な情報を提供するには、良い媒体である。これを利用してのビジネス方法に属する。
【背景技術】
【０００２】「出願番号―特許平９−２５１３５６」に示すホロスコープ（天宮図）変換の方法はその有用性が一部にしか認識されていない。この方法の社会への具現化の意味で、この出願人は著書「あなたの星座は換えられる」を世に出しました。新しい技術は、最初の段階ではこのように受け入れ側の社会は緩やかな動向を示すと思われます。ホロスコープ（天宮図）変換は、このように有用性が一部にしか認識されていない分野であるが、今後地球の人類の個人個人にとって、有用な技術に成り得ると思います。このような未来の有効なホロスコープの発生する日時を情報として提供するビジネス方式は、今まではありませんでした。
【発明の開示】
【発明が解決しようとする課題】
【０００３】子供をもつ親の心情は健康だろうか、社会性は十分だろうか、知能の働きはどうだろうか、などの内心の不安を抱いている。生まれた時点のホロスコープが人間の心情のオペレーションシステム（ＯＳ）を作っているのなら、生まれは偶然性が作用して、その惑星の配置（ホロスコープ）も偶然性が作用する。生まれながらにホロスコープがあまりよくないと思えることもある。「悪い星のもとに生まれている」との言葉はなんとなく認識されている。子供だけではなく青年・成人者にとっても社会的な不適応が社会のＩＴ化とともに増えている。【０００４】また、未婚化の傾向も増える様相を呈している。この原因は男性と女性の共同生活の不一致と呼ばれる部分に含まれている。不一致とはいわゆる相性と呼ばれている。共同生活をするストレスの方が、それから得る有用性に勝るために未婚化が進むと思われる。【０００５】個人の能力の伸長を思えば、根気のなさが技術の習得に向かない。また習得できてもその技術を社会に生かす社会性に乏しい。仕事の上での他者との協調性なども劣ると、会社などの目的のある団体からは疎外される。このように、個人をとりまくさまざまな問題が出やすい環境が作られている。一部内面的な問題を抱えて不適応な個人にとって表面に出やすい社会的様相を示している。
【課題を解決するための手段】
【０００６】それを未来の計算しうる有用なホロスコープと入れ換える方法が、「出願番号―特許平９−２５１３５６」の示す方法である。したがって、これを、インターネットを使って、必要な人に情報提供してサービスするビジネス方式は今までに存在していなかった。
ホロスコープ変換自体は安全なもので、記憶も温存される。ただ、生まれたときの惑星から受ける影響をベターなものと換える（ホロスコープ変換）ことを手伝うサービスはいままでに存在していない。生まれ持ったホロスコープを、専門家の見方から選んだ、ベターなホロスコープと、生まれてから数年の範囲内で入れ換えておくことは、とくに親にとって安心を得ることになります。入れ換える方法は簡単としても、日時の決定は専門家の見識にて決定する必要を強く感じます。そこで、インターネットの利便性を利用することが重要になります。ネットを使えば、乳幼児をもつ親に限らず、少年・青年・大人など多くの人々に、人生の成果を期待して、短時間に多くの人々にホロスコープ変換の日時の情報提供ができます。
【発明の効果】
【０００７】人間の持っている能力をより効果的に有効に使う手段を広くは世界の人類のために、狭くは日本のために、有効にいち早く伝えることができる手段としてネットを使ったビジネス方法に取り入れることが重要であると認識します。「出願番号―特許願平９−２５１３５６」の発明もこのサービスも今まで存在していなかった分野です。そこに新しい風を吹き込んで、子供を持つ親の心配の軽減、個人の能力の伸張、個人の社会性・幸福感の向上、心の問題や、非行の早い時点での根絶、などに有効に使っていただく手助けの早期の情報提供ができる。また、新しいネットを使った産業となりえると認識します。ネットを使うことは、個人のプライバシーの保護も保てることになります。特許として確立することは、ビジネスの責任の所在を明確にできやすいなどの利点が生まれると認識します。
【発明を実施するための最良の形態】
【０００８】ＨＰに２ヶ月以上未来の有用なホロスコープを載せる。それについての詳細な説明を加える。また、換える前の占星学的見地からのホロスコープの説明のサイトも用意して、相談に応じる体制も整える。これらはすべて有料にて情報提供をする。
未来のホロスコープは、満ち潮のとき（健康な体力）・知能の面の効率よい働き・人間関係のよさ・能力の伸長・より交通事故などに合わないような、注意力・落ち着きを持った性格・アセンダントと美男、美女の関係・相性の面・さらに喜びの多い人生・スポーツの能力の向上など、惑星のホロスコープとしての影響の良いときを選んで、その説明とともに提供する。
これらの流れ図
【表１】
2006172415.tif 000003
【実施例】
【０００９】ＨＰの作成例（ここにあげた内容以外にホロスコープ変換の内容・その方法・具体的な改善の視点・相性のページなど有用な情報を多く載せる。）【００１０】＊＊乳幼児の広場＊＊
生まれて間もない子供への不安は、五体満足であったとの安心感の次に起こるものです。その将来の成長への思いは、かわいらしさが打ち消してくれるのですが、少し考えれば、知能面・協調性・積極性・社会性・事故のない生活・健康な体力・幸せな結婚生活など長い人生への一抹の不安がよぎると思います。
これらに、あらかじめ不安があるのなら、早期にベターな状態に転換しておきたいものです。【００１１】地球から外の惑星は内惑星に比べて、動きが遅いために、その時代に生まれた人の共通的な深層心理に係わる性格を授けます。
「今の若者は？」とか批判しますが、大人と比べて、特に動きの遅い土星・天王星・海王星・冥王星の星座（サイン）が違うために、内在する性格が違います。同じ年ごろとの認識の奥には、この４つの惑星のサインの影響がそれぞれ、ほぼ同じために、同調感の認識が自然にできるところがあます。
【表２】
2006172415.tif 000004
自分たちを振り返っても、世代の違いは環境的な要素もあるが、おもにこれら４つの惑星の星座（サイン）の違いによって、差異を感じているに過ぎないと言えます。【００１２】人は満ち潮のときに生まれるとは、昔からよく言われています。確かに私の実感も含めて、引き潮のときに生まれると体力の充実感が劣る印象をうける幼児期・少年期・青年期を過ごすことになると思われます。なんとなく疲れやすいなどは、生まれたときの月と太陽の引力の関係が引き潮になっていることがよくあります。
子供さんの出生の日時は母体・太陽・月の織り成す自然的な要素にて決まってくると予想しますが、その時刻となると正確には決定できないと言えます。むしろ偶然性が作用していると考えた方が、賢明と思われます。【００１３】生まれた日時でお子さんがどのような社会的な成長を遂げるのかを占星学的見地からは、ある程度予想がつくものです。そこを検証して、健康・知性・情操・永続性・社会性などをベターな状態のホロスコープ（惑星の配置）にしておくことができます。その手法にホロスコープ転換・ホロスコープ変換があります。お子さんのホロスコープをベターなものにしておくことをお勧めします。出生から２年以内ぐらいに、ホロスコープ転換をすると、世代の同調感のある、子供時代を過ごすことに問題はないと思われます。
１５才くらいまでは、この同調感も大事といえます。誕生の日時を検証して不安があれば、出生日から大きく離れない日時にホロスコープ転換を１度されておくことをご案内します。
ホロスコープ転換はいつでも実施可能ですが、日時の設定は専門家の見方を多く取り入れることが大事です。思い付きほど失敗しやすいことはありません。【００１４】お子様のご誕生の検証コーナー有料サイト
有望な日時の情報コーナー有料サイト
「お子様のご誕生の検証コーナー」の内容
メールにて個人情報を送ってもらう。
個人情報氏名生年月日
誕生時刻          時      分出生地
保護者氏名
住所
メールアドレス
メールにて  検証情報を送る【００１５】「有望な日時の情報コーナー」の内容（この部分が特徴がある）
（サービスは子供を持つ保護者に対して行うので、永続性がある。）
例――（今は２００４年１２月１０日時点での例で、未来にあたる日時を検証して送る。）
１  日時              ２００５年２月１４日  ２時１２分（明石標準時；日本）
２  その時点でのホロスコープの図
【図１】
３  惑星（位置を含む）のサインとその度数
２００５年２月１４日  ２時１２分（明石；日本標準時）
【表３】
2006172415.tif 000005
４  惑星（位置を含む）アスペクトの図
【表４】
2006172415.tif 000006
※濃い網掛けは調和的なアスペクトです。薄い網掛けは緊張と適応を生むアスペクトです。
※Ω；ヘッドといって惑星ではありません。太陽の公転面と月の公転面の延長面が交わる天球上の仮想の点です。影響の面で重要視しない占星学者も多い。
※Ａ；ＡＣともアセンダントともいう。真東を上昇している星座の度数で表す。
※Ｍ；ＭＣともメディウム・コエリーともいう。天頂の星座の度数で表す。
５  コメントの欄
（１）緊張と適応または適応が必要なアスペクト
太陽と土星の１４７°；堅実で忍耐強く、自己管理ができる性格となる。
水星と土星の１４８°；実効性のある知識を求め、探究心のある思慮深い傾向です。
木星と土星の８７°；方向性と欲求を見失いがちである。自分の評価をしながら、目的をもつことが大事です。
木星と天王星の１３７°；情熱的で意志力が強い。慣例に批判的。ギャンブルは厳禁。のめり込む恐れあり。
土星と天王星の１３６°；革新的で権威に順応的でないところがある。実務家肌となると、新鮮な風を持ち込む。
天王星がうお座に位置していますので、比較的気分の変わりやすいところがあります。
しかし、この部分を補うところが、多くの強め合う（調和的）アスペクトにあります。
ヨッド型（１５０°−６０°−１５０°の三角形）の配置が４つあります。天才肌で知識欲のある社会性もしっかりした人物になります。
（２）強め合う（調和的）アスペクト
太陽と水星の１°；コンジャクションという。事務的な処理能力にすぐれています。
太陽と月の６４°；セクスタイルという度数。人気者で、落ち着きがある。安泰な人生、他者からの支持など。
太陽と木星の１２６°；トラインという度数で幸運と満足。知的、公正、広い視野を持つ。
太陽と冥王星の６１°；しっかりとした意思。集中力、病気などの回復力がある。リーダーの素質あり。
月と水星の６５°；反応が早い。注意深く冷静。男性には特によい状態をもたらす。
月と火星の１１４°自分のエネルギーを有効に使える。月の受動性がしっかりしている。
月と冥王星の１２５°；冥王星の内なる力を有効に使える。
水星と木星の１２５°；語学にすぐれ、文筆活動には向いている。比較的ゆっくりしているとの印象。ジャーナリスト、教師などに適している。
水星と冥王星の６０°；理解力と知性に恵まれる。内なる力の冥王星が知性の面で有効に作用する。広範囲の職業が可能である。
金星と木星の１１５°；社交性と愛情が深く、多くの人から愛される。人生に必要なことが分かっている。人間関係には成功するが多くの恋愛に遭遇する暗示がある。
金星と海王星の１°；非現実的な感情に入りやすい。芸術・音楽に興味がある。
火星と天王星の６１°；想像力の天王星と火星が強め合うことで、体力が十分ある。オリジナル性や発明の才能がある。積極的である。
木星と海王星の１１６°；精神的で神秘的である。援助することがすきであるから、教育者。精神的な活動から著述にも適している。
木星と冥王星の６５°；内なる火星といわれる冥王星が方向を与える木星に作用して、方向性が確かで、活動的となる。元気がよく、可能性を求める。
（３）ハウス（室）の影響
第３室の太陽・水星は知識の獲得やコミュニケーションには活きます。同じ第３室の天王星は発明の才能を授けます。第５室の月と強調して、創造力を助けます。第９室は何もない状態で精神的な発展も期待できます。第１０室の木星は太陽・水星など強める惑星のアスペクトが６個あり、室（ハウス）の意味する「天職の室」との作用が強く出て、仕事の面がやりやすくなるでしょう。第１０室のパラスの影響は少ないでしょう。第１室の火星・冥王星は自己実現には少しマイナスですが、他の惑星のよいアスペクトが補って、心配ありません。太陽と月、木星と水星・金星・太陽のアスペクトは安定感を与えます。第５室の月はさらに安定感を付けてくれます。第２室の金星は木星とのアスペクトがよく、金銭的な安定感を与え、自分の好む仕事から金銭が得られる暗示があります。第５室の月は創造・楽しみ・子供にはプラスに働きます。精神的な安定感に加えて、冒険的な創造性から球技のスポーツにはよいセンスを発揮します。第６室・第７室に何もなく、仕事で体を痛めることは少なく、協力性・契約・結婚に関することもよいでしょう。
第１室の始まりは射手座の１２°にあり、性格的に明るい印象で、代謝活動がよく、スリムな体形を維持できるでしょう。また、比較的美形に映るでしょう。第１０室の始まりのＭＣはおとめ座の２７°で、事務処理力や分析力によい力を発揮します。
これらが、個人に宿るとそれぞれの働きが、融合するときもあれば、単独で作用するときもあります。よく検討されて同意できれば、ホロスコープ転換をして上げて下さい。
【図面の簡単な説明】
【００１６】
【図１】２００５年２月  ２時１４日１２分（明石標準時；日本）におけるホロスコープの図である。このように将来の時点で具体的にホロスコープが描けて、その内容の情報が送れる。
【表の簡単な説明】
【００１７】
【表１】
発明の大まかな流れ図である。
【表２】
外惑星の動きが遅いことを示した表である。
【表３】
惑星（位置を含む）のサインとその度数の表である。
【表４】
惑星（位置を含む）間のアスペクトの図である。
【図１】
2006172415.tif 000007